(57)【要約】 【課題】  本発明は、各雪止め部材を取付ける屋根面上の使用面積をそれぞれ最少限に抑え、出来るだけ多数の雪止め部材を、屋根面の美観を害することなく設置するとともに取付け施工を簡単にすること目的とする。 【解決手段】  任意形状に成る線材製の雪止め部材７を被套して成る台枠材の内側空間部に屋根面への取付固定具１６を設置するとともに前記雪止め部材を一基端部を支点に開閉し得るように設けて成る屋根用雪止め具である。また、線材製の雪止め部材が四傾斜面の立体形状に成る屋根用雪止め具である。また、線材製の雪止め部材が一つの山の傾斜面の立体形状から成る屋根用雪止め具である。また、線材製の雪止め部材が二つの山の傾斜面の立体形状に成る屋根用雪止め具である。【選択図】    図２
2016079716.tif 000002
【特許請求の範囲】
【請求項１】
任意形状に成る線材製の雪止め部材を被套して成る台枠材の内側空間部に屋根面への取付固定具を設置するとともに前記雪止め部材を一基端部を支点に開閉し得るように設けて成ることを特徴とする屋根用雪止め具。
【請求項２】
線材製の雪止め部材が四傾斜面の立体形状に成る請求項１に記載した屋根用雪止め具。
【請求項３】
線材製の雪止め部材が一つの山の傾斜面の立体形状から成る請求項１に記載した屋根用雪止め具。
【請求項４】
線材製の雪止め部材が二つの山の傾斜面の立体形状に成る請求項１に記載した屋根用雪止め具。
【発明の詳細な説明】
【技術分野】
【０００１】
本発明は、屋根における雪止め具に関するものである。
【背景技術】
【０００２】
本発明の出願人は、日本家屋における屋根面の美観を考慮することを雪止め具設置の発想の基本として、従来、板材によって構成されていた雪止め具材についての発想を全面転換し、金属線材によって構成することを意図して特願２０１１−８９０１０号（特許文献１参照）の図面に見られるような構成の雪止め兼消雪装置を提供して来た。
【０００３】
しかしながら、各種の屋根面に取付けるための雪止め部材の取付け具は、雪止め部材の一端部に掛け止めた後、当該部材の外側部において設置するようにしていたため、屋根面全体から見ると、１個設置のための雪止め部材の面積は比較的広範囲を必要とし不経済的であったし、屋根前面における美観の維持には限界があった。
【先行技術文献】
【特許文献】
【０００４】
【特許文献１】特開２０１２−２２９６０２号公報
【発明の概要】
【発明が解決しようとする課題】
【０００５】
そこで、本発明は、前記のような欠点を一掃し、各雪止め部材を取付ける屋根面上の使用面積をそれぞれ最少限に抑え、出来るだけ多数の雪止め部材を、屋根面の美観を害することなく設置するとともに取付け施工を簡単にすることを目的とするものである。
【課題を解決するための手段】
【０００６】
本発明は、任意形状に成る線材製の雪止め部材を被套して成る台枠材の内側空間部に屋根面への取付具を設置するとともに前記雪止め部材を一基端部を支点に開閉し得るように設けて成るものである。
【発明の効果】
【０００７】
第１に、屋根面に設置する雪止め具の取付けは、従来は雪止め具本体とは分離した外部位置におかれた取付手段を介してなされていたのに対し、本発明は雪止め具本体の基台上の内部に一体に設置した取付け手段によってなされるものであるから、屋根面全体における雪止め具の施工形態が美観を呈することができるようになるのである。
【０００８】
第２に、雪止め具体はその基台との間においては開閉し得る状態になるものであるから、屋根面への雪止め具体の取付けは確実かつ簡易に行うことができるのである。
【図面の簡単な説明】
【０００９】
【図１】一実施例の全体の斜視図
【図２】図１の右側面図
【図３】図１の背面図
【図４】図１要部の斜視図
【図５】他実施例の全体の斜視図
【図６】図５の右側面図
【図７】図５の作用状態時の斜視図
【発明を実施するための形態】
【００１０】
本発明に係る雪止め部材を所定屋根面に取付けるときは、基台の他基板上のロック部に係止している雪止め部材の底辺部の線材を上方向に開口して離脱状態にする。（図２参照）
【００１１】
このとき、全体が線材から成る雪止め部材の背面部は係合しているヒンジ部を支点に開口するようになる。
【００１２】
したがって、内部の取付固定部材が基板取付部と締付上部と螺子部とによって屋根板の所定箇所に緊締された時は、開口していた雪止め部材を持ち上げて開口し一底辺部の線材を他基板上のロック部に係止して閉口する。
【実施例】
【００１３】
１は屋根面上に配置するための基台で、この基台は左右両側部における側板２，２とこの両側板の前後両側端部に架設する基板３，３’とから成る。（図４参照）
【００１４】
４，４は前記一基板３上に間隔をおいて設けたヒンジ部で、このヒンジ部と対称位置の前記他基板３’上にはロック部５，５を設ける。
【００１５】
６，６は前記一基板３の左右両端部に設けた係止部で、この係止部と対称位置の前記他基板３’の左右両端部にも他係止部６’，６’を設ける。
【００１６】
７は全体を線材によってピラミッド形の立体形状に構成した雪止め部材で、この雪止め部材は底辺部８・・・を四角錐形に曲折形成し、その頂点部９に向かって四角底辺部からの稜線部１０・・・を構成し、この稜線部にわたり前記底辺部８・・・と平行間隔をおいて水平線材１１・・・を架設する。
【００１７】
このように成る雪止め部材７の一底辺部８の線材は、前記基台１の一基板３上のヒンジ部４，４に係合するとともに他基板３’上のロック部５，５に係止して閉口するようになるから、雪止め部材７は必要に応じて係合するロック部５，５を支点に開閉し得るようになるのである。（図２・図６参照）
【００１８】
１２は前記左右両側板２，２間の適位置に架設した支板で、この支板の上面部には基板取付部１３と締付上部１４とこの間を締結する螺子部１５とから成る取付固定具１６を設ける。この取付固定具１６は、支板１２を介して屋根面上に取付くようになる。
【００１９】
１７は堅平屋根用取付具で、これは中央下側部に開口部を有し左右両側部間に螺子を架設した取付固定部材であり、その中央下側開口部間には堅平屋根部を挟持して固定するもので、取付部材１７の左右両側部に設けた変形コ形状になる定置板１８，１８の各一側部にはヒンジ部１９，１９を設けるとともにその左右両端部には各係止部２０，２０を設け、前記定置板１８，１８の他側部には各ロック部２１，２１を設けるとともにその左右両端部には各係止部２２，２２を設ける。
【００２０】
２３，２３は前記ピラミッド形の立体形状に成る雪止め部材７の縦方向への水平線材１１・・に対して補強する縦線材である。
【符号の説明】
【００２１】
１                            基台
２，２’                      側板
３，３’                      基板
４，４                        ヒンジ部
５，５                        ロック部
６，６                        係止部
６’，６’                    他係止部
７                            雪止め部材
８・・・                      底辺部
９                            頂点部
１０・・・                    稜線部
１１・・・                    水平線材
１２                          支板
１３                          基板取付部
１４                          締付上部
１５                          螺子部
１６                          取付固定具
１７                          堅平屋根用取付具
１８，１８                    定置板
１９，１９                    ヒンジ部
２０，２０                    係止部
２１，２１                    ロック部
２２，２２                    係止部
２３，２３                    縦線材
【図１】
2016079716.tif 000003
【図２】
2016079716.tif 000004
【図３】
2016079716.tif 000005
【図４】
2016079716.tif 000006
【図５】
2016079716.tif 000007
【図６】
2016079716.tif 000008
【図７】
2016079716.tif 000009